【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
方法であって、当該方法は、
医療システムで行われる医療処置の一部である関心のある医療処置イベントを示す１つ又は複数のビデオクリップを前記医療処置の１つ又は複数の医療処置ビデオ録画から探し出すためのユーザコマンドを受信するステップと、
前記医療システムで前記医療処置を行っている間に、前記関心のある医療処置イベントの発生に対応する可能性の高い、前記医療処置中の前記医療システムで発生する１つ又は複数の医療システム・イベント及び前記医療システムでの前記医療システム・イベントが発生した時刻を、前記医療システム・イベントの発生を記録する１つ又は複数の医療システム・イベントログから特定するステップと、
前記医療システムで発生する特定された前記１つ又は複数の医療システム・イベントのそれぞれに対応する１つ又は複数のタイムスタンプを使用して、前記１つ又は複数の医療処置ビデオ録画から１つ又は複数の候補ビデオクリップを特定するステップと、
前記１つ又は複数の候補ビデオクリップの画像データを解析することによって、１つ又は複数の候補ビデオセグメントのそれぞれが前記関心のある医療処置イベントを含む特定されたビデオセグメントであるかどうかを判定するステップと、
少なくとも１つの特定されたビデオセグメントをユーザに提示するステップと、を含む、
方法。
【請求項２】
前記関心のある医療処置イベントを示す前記１つ又は複数のビデオクリップを探し出すための前記ユーザコマンドを受信するステップは、
関心のある医療処置イベントの複数のビデオクリップを提示して、ユーザインターフェイスを介して選択させるステップと、
前記関心のある医療処置イベントの前記提示された複数のビデオクリップうちの１つについてのユーザの選択を受信するステップと、を含む、請求項１に記載の方法。
【請求項３】
前記関心のある医療処置イベントを示す前記１つ又は複数のビデオクリップを探し出すための前記ユーザコマンドを受信するステップは、前記ユーザが医療処置を行っている間に前記ユーザコマンドを手術中に受信するステップ、又は前記ユーザコマンドを手術前又は手術後に受信するステップを含む、請求項１に記載の方法。
【請求項４】
前記関心のある医療処置イベントの発生に対応する可能性の高い前記１つ又は複数の医療システム・イベントを特定するステップは、イベントの発生及び前記医療システムでの医療システム・イベントが発生した時刻を記録するルックアップテーブルを検索するステップを含む、請求項１に記載の方法。
【請求項５】
前記ルックアップテーブルは、医療システム・イベントと、機械学習によって学習された関心のある医療処置イベントとの間の関連付けを説明するために定期的に自動更新される、請求項４に記載の方法。
【請求項６】
前記関心のある医療処置イベントの発生に対応する可能性の高い前記１つ又は複数の医療システム・イベントは、個々の医療システム・イベントの発生、特定のパターンに応じた２つ以上の医療システム・イベントの発生、又は長期間に亘る個々の医療システム・イベントの発生を含む、請求項１に記載の方法。
【請求項７】
特定された前記１つ又は複数の医療システム・イベントのそれぞれに対応する１つ又は複数のタイムスタンプを使用して１つ又は複数の候補ビデオセグメントを特定するステップは、２つのタイムスタンプの間で行われる医療処置ビデオ録画のビデオセグメントを特定するステップ、又はタイムスタンプの時間ウィンドウ内に行われる医療処置ビデオ録画のビデオセグメントを特定するステップを含む、請求項１に記載の方法。
【請求項８】
前記少なくとも１つの特定されたビデオセグメントを前記ユーザに提示するステップは、前記ユーザに対して、前記少なくとも１つの特定されたビデオセグメントをディスプレイ上で再生するステップを含む、請求項１に記載の方法。
【請求項９】
ビデオ検索を行うための装置であって、当該装置は、
ユーザインターフェイスと、
該ユーザインターフェイスに動作可能に結合され、１つ又は複数のプロセッサを含む処理ユニットと、を有しており、
該処理ユニットは、
前記ユーザインターフェイスを介して、医療システムで行われる医療処置の一部である関心のある医療処置イベントを示す１つ又は複数のビデオクリップを前記医療処置の１つ又は複数の医療処置ビデオ録画から探し出すためのユーザコマンドを受信し、
前記医療システムで前記医療処置を行っている間に、前記関心のある医療処置イベントの発生に対応する可能性の高い、前記医療処置中の前記医療システムで発生する１つ又は複数の医療システム・イベント及び前記医療システムでの医療システム・イベントが発生した時刻を、前記医療システム・イベントの発生を記録する１つ又は複数の医療システム・イベントログから特定し、
前記医療システムで発生する特定された前記１つ又は複数の医療システム・イベントのそれぞれに対応する１つ又は複数のタイムスタンプを使用して、前記１つ又は複数の医療処置ビデオ録画から１つ又は複数の候補ビデオクリップを特定し、
前記１つ又は複数の候補ビデオクリップの画像データを解析することによって、１つ又は複数の候補ビデオセグメントのそれぞれが前記関心のある医療処置イベントを含む特定されたビデオセグメントであるかどうかを判定し、
少なくとも１つの特定されたビデオセグメントをユーザに提示する、ように構成される、
装置。
【請求項１０】
前記ユーザインターフェイスは、パーソナルコンピュータ装置のユーザインターフェイス、又は遠隔操作手術システムのユーザインターフェイスを含む、請求項９に記載の装置。
【請求項１１】
前記関心のある医療処置イベントを示す前記１つ又は複数のビデオクリップを探し出すための前記ユーザコマンドを受信することは、
関心のある医療処置イベントの複数のビデオクリップを提示して、前記ユーザインターフェイスを介して選択させることと、
前記関心のある医療処置イベントの提示された複数のビデオクリップうちの１つについてのユーザの選択を受信することと、を含む、請求項９に記載の装置。
【請求項１２】
前記関心のある医療処置イベントの発生に対応する可能性の高い前記１つ又は複数のシステム・イベントを特定することは、イベントの発生及び前記医療システムでの医療システム・イベントが発生した時刻を記録するルックアップテーブルを検索することを含み、好ましくは、前記ルックアップテーブルは、医療システム・イベントと、機械学習によって学習された関心のある医療処置イベントとの間の関連付けを説明するために定期的に自動更新される、請求項９に記載の装置。
【請求項１３】
前記関心のある医療処置イベントの発生に対応する可能性の高い前記１つ又は複数の医療システム・イベントは、個々の医療システム・イベントの発生、又は特定のパターンに応じた２つ以上の医療システム・イベントの発生、又は長期間に亘る個々の医療システム・イベントの発生を含む、請求項９に記載の装置。
【請求項１４】
特定された前記１つ又は複数の医療システム・イベントのそれぞれに対応する１つ又は複数のタイムスタンプを使用して１つ又は複数の候補ビデオセグメントを特定することは、２つのタイムスタンプの間で行われる医療処置ビデオ録画のビデオセグメントを特定すること、又はタイムスタンプの時間ウィンドウ内で行われる医療処置ビデオ録画のビデオセグメントを特定することを含む、請求項９に記載の装置。
【請求項１５】
前記少なくとも１つの特定されたビデオを前記ユーザに提示することは、前記ユーザに対して、前記少なくとも１つの特定されたビデオセグメントをディスプレイ上で再生することを含む、請求項９に記載の装置。